(57)【要約】【課題】本発明は、販売店舗における各種の商品販売数及び商品の販売関連情報をスマートフォン等の端末により多岐にわたって収集、記録して管理本部に送信し、管理本部において閲覧、確認する店舗販売商品情報の報告システムを提供するものである。【解決手段】本発明の店舗販売商品情報の報告システム１は、ヘルパー端末５１Ａにより店舗における販売商品に関する多岐にわたるヘルパー情報を収集し、ラウンダー端末５１Ｂにおいても店舗における販売商品に関する多岐にわたるヘルパー情報を収集し、これらを管理本部コンピュータ装置１１に無線送信し、本部コンピュータ装置１１においてヘルパー報告書情報、前記ラウンダー報告書情報を編集して多岐にわたる販売商品情報確認用データを生成し、管理本部において閲覧、確認、分析するように構成したものである。【選択図】図１
2019028872.tif 000002
【特許請求の範囲】
【請求項１】
販売商品の管理本部の本部コンピュータ装置と、店舗におけるスタッフであるヘルパーの携帯型のヘルパー端末、店舗を巡回するスタッフであるラウンダーの携帯型のラウンダー端末とが通信ネットワークを通じて接続され、前記ヘルパー端末、前記ラウンダー端末から前記本部コンピュータ装置に対して店舗における商品販売数及び販売関連情報を含む販売商品情報を報告する店舗販売商品情報の報告システムであって、
前記ヘルパー端末は、店舗における販売商品に関するヘルパー情報を画面入力する表示入力手段と、前記表示入力手段に表示するためのヘルパー用の報告書作成パターン情報を記憶する報告書作成パターン情報記憶手段と、前記表示入力手段に表示される報告書作成パターン情報に対するヘルパー入力により作成されたヘルパー報告書情報である販売商品情報を記憶する記憶手段と、当該作成したヘルパー報告書情報を無線送信する送受信手段と、撮像手段と、
を備え、
前記ラウンダー端末は、店舗において収集した販売商品に関するラウンダー情報を画面入力する表示入力手段と、前記表示入力手段に表示するためのラウンダー用の報告書作成パターン情報を記憶する報告書作成パターン情報記憶手段と、前記表示入力手段に表示される報告書作成パターン情報に対するラウンダー入力により作成されたラウンダー報告書情報である販売商品情報を記憶する記憶手段と、当該作成したラウンダー報告書情報を無線送信する送受信手段と、撮像手段と、
を備え、
前記本部コンピュータ装置は、前記ヘルパー端末からのヘルパー報告書情報、前記ラウンダー端末からのラウンダー報告書情報を受信するとともに、前記ヘルパー端末、前記ラウンダー端末に対する本部資料の送信を行う送受信手段と、前記送受信手段にて受信した前記ヘルパー報告書情報、前記ラウンダー報告書情報を記憶する本部記憶手段と、前記本部記憶手段に記憶した前記ヘルパー報告書情報、前記ラウンダー報告書情報を編集して販売商品情報確認用データを生成するとともに、商品販売に関するセールストーク、運営資料、メール情報のような本部資料を編集する編集手段と、前記編集手段にて生成した販売商品情報確認用データを画面表示する表示手段と、各種情報を入力する入力手段と、前記入力手段から入力される情報を基に前記編集手段にて編集した前記本部資料を蓄積し前記送受信手段による送信に供する本部資料記憶手段とを備える、
ことを特徴とする店舗販売商品情報の報告システム。
【請求項２】
前記ヘルパー報告書情報は、ヘルパーのシフト情報、店舗における販売商品の機種別、店舗の地区別、店舗の屋号別、ヘルパーのスタッフ別の各商品販売数情報、店舗の地区一覧、店舗の屋号一覧、報告日付、報告内容詳細の各情報を含み、
前記ラウンダー報告書情報は、ラウンダーのシフト情報、週別販売数情報、店舗の地区一覧、店舗の屋号一覧、報告日付、報告内容詳細の各情報を含むことを特徴とする請求項１記載の店舗販売商品情報の報告システム。
【請求項３】
前記本部コンピュータ装置における販売商品情報確認用データは、前記ヘルパー又はラウンダーからの前記ヘルパー報告書情報、前記ラウンダー報告書情報に基づいたスタッフのシフトカレンダーの確認、販売商品毎の販売グラフ表示の確認、販売数変動時の外部要因のグラフ表示の確認、様々な絞込みによるグラフ表示の確認、ヘルパー又はラウンダーからなるスタッフ一覧の確認、ヘルパー又はラウンダーのスタッフ報告書閲覧、店舗におけるキャンペーンＰＯＰの設置状況の確認、ヘルパー又はラウンダーのスタッフのログイン履歴の確認のためのデータであることを特徴とする請求項１又は２記載の店舗販売商品情報の報告システム。
【請求項４】
販売商品の管理本部の本部コンピュータ装置と、店舗におけるスタッフであるヘルパーの携帯型のヘルパー端末、店舗を巡回するスタッフであるラウンダーの携帯型のラウンダー端末とが通信ネットワークを通じて接続され、前記ヘルパー端末、前記ラウンダー端末から前記本部コンピュータ装置に対して店舗における商品販売数及び販売関連情報を含む販売商品情報を報告する店舗販売商品情報の報告システム用のプログラムであって、
前記ヘルパー端末に搭載され、ヘルパー用の報告書作成パターン情報を表示入力手段に表示する処理と、店舗における販売商品に関するヘルパーによるヘルパー情報の前記報告書作成パターン情報に対する入力に応じて当該ヘルパーのヘルパー報告書情報である販売商品情報を作成する処理と、を実行するヘルパー端末プログラムと、
前記ラウンダー端末に搭載され、ラウンダー用の報告書作成パターン情報を表示入力手段に表示する処理と、店舗における販売商品に関するラウンダーによるラウンダー情報の前記報告書作成パターン情報に対する入力に応じて当該ラウンダーのラウンダー報告書情報である販売商品情報を作成する処理と、を実行するラウンダー端末プログラムと、
前記本部コンピュータ装置に搭載され、前記ヘルパー端末、ラウンダー端末から送信される前記ヘルパー報告書情報、前記ラウンダー報告書情報を編集して販売商品情報確認用データを生成する処理と、商品販売に関するセールストーク、運営資料、メール情報のような本部資料を編集する処理と、を実行する報告システムプログラムと、
からなることを特徴とする店舗販売商品情報の報告システム用のプログラム。
【発明の詳細な説明】
【技術分野】
【０００１】
本発明は、販売商品情報の報告システム及び該報告システム用プログラムに関し、詳しくは、販売店舗における各種の商品販売数及び商品の販売関連情報をスマートフォン等の端末により多岐にわたって収集、記録して管理本部に送信し、管理本部において閲覧、確認する店舗販売商品情報の報告システムに関するものである。
【背景技術】
【０００２】
従来のこの種の発明として特許文献１には、ネットワークを介して情報を送受信する情報管理装置と、複数のスタッフが所持する携帯型のスタッフ端末とを備えるビジネス情報収集・閲覧システムであって、前記情報管理装置は、携帯端末より供給されるビジネス情報を受信するビジネス情報受信手段と、前記ビジネス情報受信手段で受信したビジネス情報を記憶するビジネス情報記憶手段と、前記ビジネス情報記憶手段に記憶されたビジネス情報を編集して、閲覧用データを生成する編集手段と、前記編集手段により生成された閲覧用データを、ビジネス戦略検討のために提供する閲覧用データ提供手段と、を備え、前記スタッフ端末は、スタッフが、取得したビジネス情報を入力する入力手段と、前記入力手段により入力されたビジネス情報を、前記情報管理装置に送信する手段とを備えるビジネス情報収集・閲覧システムが開示されている。
【０００３】
しかしながら、従来における上記ビジネス情報収集・閲覧システムにおいては、スタッフ端末から情報管理装置に送信されるビジネス情報の範囲、項目が狭少で、多数のスタッフを包含し大規模、広範囲に多数の店舗を展開する販売店舗における店舗販売商品情報の報告システムとしては不十分であると推定される。
【先行技術文献】
【特許文献】
【０００４】
【特許文献１】特開２００１−３４４４００号公報
【発明の概要】
【発明が解決しようとする課題】
【０００５】
本発明は、上記従来の実情に鑑み開発されたものであり、多数のスタッフを包含し大規模、広範囲に多数の店舗を展開する販売店舗における各種の商品販売数及び商品の販売関連情報をスタッフにより極めて多岐にわたって収集、記録して管理本部に送信し、管理本部において商品販売数及び商品の販売関連情報を閲覧、確認、分析可能とし、報告書の作成を効率化する店舗販売商品情報の報告システムを提供するものである。
【課題を解決するための手段】
【０００６】
本発明は、販売商品の管理本部の本部コンピュータ装置と、店舗におけるスタッフであるヘルパーの携帯型のヘルパー端末、店舗を巡回するスタッフであるラウンダーの携帯型のラウンダー端末とが通信ネットワークを通じて接続され、前記ヘルパー端末、前記ラウンダー端末から前記本部コンピュータ装置に対して店舗における商品販売数及び販売関連情報を含む販売商品情報を報告する店舗販売商品情報の報告システムであって、前記ヘルパー端末は、店舗における販売商品に関するヘルパー情報を画面入力する表示入力手段と、前記表示入力手段に表示するためのヘルパー用の報告書作成パターン情報を記憶する報告書作成パターン情報記憶手段と、前記表示入力手段に表示される報告書作成パターン情報に対するヘルパー入力により作成されたヘルパー報告書情報である販売商品情報を記憶する記憶手段と、作成したヘルパー報告書情報を無線送信する送受信手段と、撮像手段と、を備え、前記ラウンダー端末は、店舗において収集した販売商品に関するラウンダー情報を画面入力する表示入力手段と、前記表示入力手段に表示するためのラウンダー用の報告書作成パターン情報を記憶する報告書作成パターン情報記憶手段と、前記表示入力手段に表示される報告書作成パターン情報に対するラウンダー入力により作成されたラウンダー報告書情報である販売商品情報を記憶する記憶手段と、作成したラウンダー報告書情報を無線送信する送受信手段と、撮像手段と、を備え、記本部コンピュータ装置は、前記ヘルパー端末からのヘルパー報告書情報、前記ラウンダー端末からのラウンダー報告書情報を受信するとともに、前記ヘルパー端末、前記ラウンダー端末に対する本部資料の送信を行う送受信手段と、前記送受信手段にて受信した前記ヘルパー報告書情報、前記ラウンダー報告書情報を記憶する本部記憶手段と、前記本部記憶手段に記憶した前記ヘルパー報告書情報、前記ラウンダー報告書情報を編集して販売商品情報確認用データを生成するとともに、商品販売に関するセールストーク、運営資料、メール情報のような本部資料を編集する編集手段と、前記編集手段にて生成した販売商品情報確認用データを画面表示する表示手段と、各種情報を入力する入力手段と、前記入力手段から入力される情報を基に前記編集手段にて編集した前記本部資料を蓄積し前記送受信手段による送信に供する本部資料記憶手段と、を備えることを最も主要な特徴とする。
【発明の効果】
【０００７】
請求項１記載の発明によれば、多数のスタッフを包含し大規模、広範囲に多数の店舗を展開する販売店舗における各種の商品販売数及び商品の販売関連情報をスタッフにより極めて多岐にわたって収集、記録して管理本部に送信し、管理本部において商品販売数及び商品の販売関連情報を閲覧、確認、分析可能とし、報告書の作成を効率化する店舗販売商品情報の報告システムを実現し、提供することができる。
【０００８】
請求項２記載の発明によれば、請求項１記載の発明において、ヘルパー又はラウンダーは、ヘルパー端末５１Ａ、ラウンダー端末５１Ｂを使用して極めて多岐にわたるヘルパー情報、ラウンダー情報を収集記録し、本部コンピュータ装置に容易に報告することができる店舗販売商品情報の報告システムを実現し、提供することができる。
【０００９】
請求項３記載の発明によれば、請求項１又は２記載の発明において、本部コンピュータ装置によって、ヘルパー又はラウンダーからなるスタッフのシフトカレンダーの確認、販売商品毎の販売グラフ表示の確認、販売数変動時の外部要因のグラフ表示の確認、様々な絞込みによるグラフ表示の確認、ヘルパー又はラウンダーからなるスタッフ一覧の確認、ヘルパー又はラウンダーのスタッフ報告書閲覧、店舗におけるキャンペーンＰＯＰの設置状況の確認、ヘルパー又はラウンダーのスタッフのログイン履歴の確認、上記各事項のＣＳＶ形式でのダウンロードでの報告書の作成等を容易に実行することができる店舗販売商品情報の報告システムを実現し、提供することができる。
【００１０】
請求項４記載の発明によれば、上記店舗販売商品情報の報告システムにおけるヘルパー端末、ラウンダー端末及び本部コンピュータ装置の処理を的確に実行することが可能な店舗販売商品情報の報告システム用のプログラムを実現し、提供することができる。
【図面の簡単な説明】
【００１１】
【図１】図１は本発明の実施例に係る販売商品情報の報告システムの全体構成を示す概略ブロック図である。
【図２】図２は本実施例に係る販売商品情報の報告システムの本部コンピュータ装置の構成を示す概略ブロック図である。
【図３】図３は本実施例に係る販売商品情報の報告システムのヘルパー端末の構成を示す概略ブロック図である。
【図４】図４は本実施例に係る販売商品情報の報告システムのラウンダー端末の構成を示す概略ブロック図である。
【図５】図５は本実施例に係る販売商品情報の報告システムの本部コンピュータ装置の機能ブロック図である。
【図６】図６は本実施例におけるヘルパー端末又はラウンダーのラウンダー端末を使用したログイン処理を示す画面説明図である。
【図７】図７は本実施例におけるメニュー画面の画面説明図である。
【図８】図８は本実施例におけるヘルパーによる店舗コード入力画面の画面説明図である。
【図９】図９は本実施例におけるラウンダーによる店舗コード入力画面の画面説明図である。
【図１０】図１０はヘルパー又はラウンダーによる地区選択画面、店舗状況の確認画面等の画面説明図である。
【図１１】図１１は本実施例における店舗状況に関するヘルパー確認画面（左欄）、ラウンダー確認画面（右欄）の画面説明図である。
【図１２】図１２は本実施例におけるヘルパーによるシフト入力画面の画面説明図である。
【図１３】図１３は本実施例におけるラウンダーによるシフト入力画面の画面説明図である。
【図１４】図１４は本実施例におけるヘルパー又はラウンダーによる地域選択画面、店舗コード確認画面の画面説明図である。
【図１５】図１５は本実施例におけるヘルパー端末又はラウンダー端末における管理本部の本部資料であるメッセージ一覧及び詳細の表示例を示す画面説明図である。
【図１６】図１６は本実施例におけるヘルパー端末又はラウンダー端末における管理本部の本部資料であるセールストーク一覧の表示例を示す画面説明図である。
【図１７】図１７は本実施例におけるヘルパー端末又はラウンダー端末における管理本部の本部資料である各種の運営資料のタイトル別表示例を示す画面説明図である。
【図１８】図１８は本実施例におけるヘルパー端末又はラウンダー端末におけるメニュー画面の表示例を示す画面説明図である。
【図１９】図１９は本実施例におけるヘルパー端末における店舗に関する報告画面の表示例を示す画面説明図である。
【図２０】図２０は本実施例におけるラウンダー端末における店舗に関する報告画面の表示例を示す画面説明図である。
【図２１】図２１は本実施例のヘルパー端末又はラウンダー端末における地域選択画面、店舗一覧画面等の画面説明図である。
【図２２】図２２は本実施例のヘルパー端末におけるヘルパー報告書確認画面の画面説明図である。
【図２３】図２３は本実施例のヘルパー端末におけるラウンダー報告書確認画面の画面説明図である。
【図２４】図２４は本実施例の本部コンピュータ装置におけるログイン画面の画面説明図である。
【図２５】図２５は本実施例の本部コンピュータ装置におけるメニュー（グローバルメニュー）画面の画面説明図である。
【図２６】図２６は本実施例の本部コンピュータ装置における管理画面ＴＯＰの画面説明図である。
【図２７】図２７は本実施例の本部コンピュータ装置におけるヘルパーのシフト表確認ページの画面説明図である。
【図２８】図２８は本実施例の本部コンピュータ装置における全機種合計のグラフ表示等を行うための画面の説明図である。
【図２９】図２９は本実施例の本部コンピュータ装置におけるヘルパー報告の販売数別検索結果グラフ表示画面の説明図である。
【図３０】図３０は本実施例の本部コンピュータ装置におけるＰｌａｃｅ別のグラフ表示を行うための検索画面の説明図である。
【図３１】図３１は本実施例の本部コンピュータ装置におけるＰｌａｃｅ別の詳細なグラフ表示画面の画面説明図である。
【図３２】図３２は本実施例の本部コンピュータ装置における条件を絞り込んでグラフ表示するための画面の画面説明図である。
【図３３】図３３は本実施例の本部コンピュータ装置における条件絞り込み結果のグラフ表示画面の画面説明図である。
【図３４】図３４は本実施例の本部コンピュータ装置におけるヘルパーからの報告の一覧表示画面の画面説明図である。
【図３５】図３５は本実施例の本部コンピュータ装置におけるヘルパー詳細報告内容の表示画面の画面説明図である。
【図３６】図３６は本実施例の本部コンピュータ装置におけるヘルパーからのヘルパー販売情報の報告画面の画面説明図である。
【図３７】図３７は本実施例の本部コンピュータ装置におけるヘルパーからの所感、キャンペーン情報等のような店舗情報の報告覧表示画面の画面説明図である。
【図３８】図３８は本実施例の本部コンピュータ装置におけるラウンダーからのその日のシフト表確認ページ画面の画面説明図である。
【図３９】図３９は本実施例の本部コンピュータ装置におけるラウンダーからの報告一覧表示画面の画面説明図である。
【図４０】図４０は本実施例の本部コンピュータ装置におけるラウンダーからのラウンダー詳細報告画面の画面説明図である。
【図４１】図４１は本実施例の本部コンピュータ装置におけるサブメニューの基本情報から遷移するラウンダー報告画面の画面説明図である。
【図４２】図４２は本実施例の本部コンピュータ装置におけるラウンダー報告の店舗情報一覧表示画面の画面説明図である。
【図４３】図４３は本実施例の本部コンピュータ装置におけるラウンダーからのコーナー情報画面の画面説明図である。
【図４４】図４４は本実施例の本部コンピュータ装置におけるラウンダーからの巡回店舗に関する訪問数、滞在時間等のラウンダー情報の一覧表示画面の画面説明図である。
【図４５】図４５は本実施例の本部コンピュータ装置におけるキャンペーン履歴一元表示画面の画面説明図である。
【図４６】図４６は本実施例の本部コンピュータ装置におけるキャンペーンＰＯＰの設置状況の店舗毎表示画面の画面説明図である。
【図４７】図４７は本実施例の本部コンピュータ装置における各スタッフに対してメール配信するための画面の画面説明図である。
【図４８】図４８は本実施例の本部コンピュータ装置におけるスタッフメール一覧画面の画面説明図である。
【図４９】図４９は本実施例の本部コンピュータ装置におけるスタッフメール詳細画面の画面説明図である。
【図５０】図５０は本実施例の本部コンピュータ装置における有効なセールストークを配信するための画面の画面説明図である。
【図５１】図５１は本実施例の本部コンピュータ装置における管理者ページのうちのスタッフがログインした履歴一覧画面の画面説明図である。
【図５２】図５２は本実施例の本部コンピュータ装置における本部資料である製品カタログ、販促物、技術資料等を閲覧するための画面の画面説明図である。
【図５３】図６３は本実施例の本部コンピュータ装置における詳細なサブメニュー表示画面の画面説明図である。
【図５４】図５４は本実施例の本部コンピュータ装置における折れ線グラフ形態のＷＫ毎の総販売数、機種別販売数等の機種別販売数確認画面の画面説明図である。
【図５５】図５５は本実施例の本部コンピュータ装置における例えば関東地区の機種別販売数確認画面の画面説明図である。
【図５６】図５６は本実施例の本部コンピュータ装置における例えば関東地区の特定の店舗の折れ線グラフ形態でＷＫ毎の屋号別販売数確認画面の画面説明図である。
【図５７】図５７は本実施例の本部コンピュータ装置におけるスタッフ別販売数確認用で例えば関東地区の特定の店舗の折れ線グラフ形態でＷＫ毎のスタッフ別販売数確認画面の画面説明図である。
【図５８】図５８は本実施例の本部コンピュータ装置における関東、東海、関西のような地区別の販売数を一覧的に表示した地区別報告確認画面の画面説明図である。
【図５９】図５９は本実施例の本部コンピュータ装置における所望の地区の店舗の店名、スタッフの派遣会社、スタッフ名等の一覧表示画面の画面説明図である。
【図６０】図６０は本実施例の本部コンピュータ装置における所望の地区の店舗におけるＷＫ別の報告日付一覧画の画面説明図である。
【図６１】図６１は本実施例の本部コンピュータ装置における所望の店舗に関する詳細な報告内容画面の画面説明図である。
【図６２】図６２は本実施例の本部コンピュータ装置における所望の店舗に関するある日の販売コーナーの画像等の詳細な報告内容画面の画面説明図である。
【図６３】図６３は本実施例の本部コンピュータ装置における屋号別販売数報告確認画面の画面説明図である。
【図６４】図６４は本実施例の本部コンピュータ装置における報告日時、ある地区の店舗の店名、スタッフの派遣会社、スタッフ名等の一覧表示画面の画面説明図である。
【図６５】図６５は本実施例の本部コンピュータ装置におけるインセンティブプログラムの表示例を示す画面説明図である。
【図６６】図６６は本実施例の本部コンピュータ装置における多数のラウンダー別、かつ、ＷＫ別のラウンド対応店舗数、店舗訪問回数等のラウンダー関連情報からなるＷＫ情報画面の画面説明図である。
【図６７】図６７は本実施例の本部コンピュータ装置におけるラウンダー等のＷＫ情報の確認画面の画面説明図である。
【図６８】図６８は本実施例の本部コンピュータ装置における折れ線グラフ形態でＷＫ毎の総販売数、機種別販売数等の屋号別、かつ、販売店別販売数確認画面の画面説明図である。
【発明を実施するための形態】
【００１２】
本発明は、多数のスタッフを包含し大規模、広範囲に多数の店舗を展開する販売店舗における各種の商品販売数及び商品の販売関連情報をスタッフにより極めて多岐にわたって収集、記録して管理本部に送信し、管理本部において商品販売数及び商品の販売関連情報を閲覧、確認、分析可能とし、報告書の作成を効率化する店舗販売商品情報の報告システムを実現し提供するという目的を、販売商品の管理本部の本部コンピュータ装置と、店舗におけるスタッフであるヘルパーの携帯型のヘルパー端末、店舗を巡回するスタッフであるラウンダーの携帯型のラウンダー端末とが通信ネットワークを通じて接続され、前記ヘルパー端末、前記ラウンダー端末から前記本部コンピュータ装置に対して店舗における商品販売数及び販売関連情報を含む販売商品情報を報告する店舗販売商品情報の報告システムであって、前記ヘルパー端末は、店舗における販売商品に関するヘルパー情報を画面入力する表示入力手段と、前記表示入力手段に表示するためのヘルパー用の報告書作成パターン情報を記憶する報告書作成パターン情報記憶手段と、前記表示入力手段に表示される報告書作成パターン情報に対するヘルパー入力により作成されたヘルパー報告書情報である販売商品情報を記憶する記憶手段と、作成したヘルパー報告書情報を無線送信する送受信手段と、撮像手段と、を備え、前記ラウンダー端末は、店舗において収集した販売商品に関するラウンダー情報を画面入力する表示入力手段と、前記表示入力手段に表示するためのラウンダー用の報告書作成パターン情報を記憶する報告書作成パターン情報記憶手段と、前記表示入力手段に表示される報告書作成パターン情報に対するラウンダー入力により作成されたラウンダー報告書情報である販売商品情報を記憶する記憶手段と、作成したラウンダー報告書情報を無線送信する送受信手段と、撮像手段と、を備え、前記本部コンピュータ装置は、前記ヘルパー端末からのヘルパー報告書情報、前記ラウンダー端末からのラウンダー報告書情報を受信するとともに、前記ヘルパー端末、前記ラウンダー端末に対する本部資料の送信を行う送受信手段と、前記送受信手段にて受信した前記ヘルパー報告書情報、前記ラウンダー報告書情報を記憶する本部記憶手段と、前記本部記憶手段に記憶した前記ヘルパー報告書情報、前記ラウンダー報告書情報を編集して販売商品情報確認用データを生成するとともに、商品販売に関するセールストーク、運営資料、メール情報のような本部資料を編集する編集手段と、前記編集手段にて生成した販売商品情報確認用データを画面表示する表示手段と、各種情報を入力する入力手段と、前記入力手段から入力される情報を基に前記編集手段にて編集した前記本部資料を蓄積し前記送受信手段による送信に供する本部資料記憶手段とを備える構成により実現した。
【実施例】
【００１３】
以下、図面を参照して、本発明の実施例に係る店舗販売商品情報の報告システムについて説明する。
【００１４】
本実施例に係る店舗販売商品情報の報告システム１は、図１に示すように、店舗における販売商品の管理本部に設置された本部コンピュータ装置１１と、店舗におけるヘルパーの携帯型のスマートフォン、タブレット端末のようなヘルパー端末５１Ａ、店舗を巡回するラウンダーの携帯型のスマートフォン、タブレット端末のようなラウンダー端末５１Ｂとが通信ネットワーク２を通じて接続され、前記ヘルパー端末５１Ａ、前記ラウンダー端末５１Ｂから前記本部コンピュータ装置１１に対して店舗における商品販売数及び販売関連情報を含む販売商品情報を報告するように構成している。
【００１５】
前記本部コンピュータ装置１１は、図２に示すように、販売商品情報に関する報告システムプログラムを基に全体の制御を行う制御手段１２と、販売商品情報に関する報告システムプログラムを記憶したプログラムメモリ１３と、前記ヘルパー端末５１Ａからのヘルパー報告書情報、前記ラウンダー端末５１Ｂからのラウンダー報告書情報を受信するとともに、前記ヘルパー端末５１Ａ、前記ラウンダー端末５１Ｂに対する後述する本部資料の送信を行う送受信手段１７と、前記送受信手段１７にて受信した前記ヘルパー報告書情報、前記ラウンダー報告書情報及び後述する販売商品情報確認用データを記憶する本部記憶手段１５と、前記本部記憶手段１５に記憶した前記ヘルパー報告書情報、前記ラウンダー報告書情報を編集して販売商品情報確認用データを生成するとともに、商品販売に関するセールストーク、運営資料、メール情報のような本部資料を編集する編集手段１４と、前記編集手段１４にて生成した販売商品情報確認用データを画面表示する表示手段１９と、各種情報入力を行う入力手段１８と、前記編集手段１４にて編集した前記本部資料を蓄積し前記送受信手段１７による送信に供する本部資料記憶手段１６と、を備えている。
【００１６】
前記ヘルパー端末５１Ａは、図３に示すように、ヘルパー端末プログラムによりこのヘルパー端末５１Ａを制御するヘルパー端末制御手段５２Ａと、ヘルパー端末プログラムを記憶するヘルパー端末プログラムメモリ５３Ａと、ヘルパーが店舗における販売商品情報を画面入力する表示入力手段５４Ａと、前記表示入力手段５４Ａに表示するためのヘルパー用の報告書作成パターン情報を記憶する報告書作成パターン情報記憶手段５５Ａと、前記表示入力手段に表示される報告書作成パターン情報に対するヘルパー入力により作成されたヘルパー報告書情報である販売商品情報を記憶する記憶手段５６Ａと、作成したヘルパー報告書情報を無線送信する送受信手段５７Ａと、店舗の販売コーナー等の画像（写真）を撮像するデジタルカメラのような撮像手段５８Ａと、を備えている。
【００１７】
前記ラウンダー端末５１Ｂは、図４に示すように、ラウンダー端末プログラムによりこのラウンダー端末５１Ｂを制御するラウンダー端末制御手段５２Ｂと、ラウンダー端末プログラムを記憶するラウンダー端末プログラムメモリ５３Ｂと、店舗を巡回するラウンダーが店舗における販売商品情報を画面入力する表示入力手段５４Ｂと、前記表示入力手段５４Ａに表示するためのラウンダー用の報告書作成パターン情報を記憶する報告書作成パターン情報記憶手段５５Ｂと、前記表示入力手段に表示される報告書作成パターン情報に対するラウンダー入力により作成されたラウンダー報告書情報である販売商品情報を記憶する記憶手段５６Ｂと、作成したラウンダー報告書情報を無線送信する送受信手段５７Ｂと、店舗の販売コーナー等の画像（写真）を撮像するデジタルカメラのような撮像手段５８Ｂと、を備えている。
【００１８】
図５は、本実施例に係る販売商品情報の報告システム１における本部コンピュータ装置１１の全体的な機能ブロック図を示すものである。
【００１９】
次に、本実施例に係る店舗販売商品情報の報告システム１の一連の処理について場合を分けて説明する。
（ヘルパー端末５１Ａ又はラウンダー端末５１Ｂを使用したヘルパー報告又はラウンダー報告の処理）
本実施例に係る店舗販売商品情報の報告システム１におけるヘルパー端末５１Ａ又はラウンダー端末５１Ｂを使用したヘルパー報告又はラウンダー報告の処理の流れは、以下の通りである。
【００２０】
（ログイン処理）
ヘルパーによるヘルパー端末５１Ａを使用したログイン処理又はラウンダーのラウンダー端末５１Ｂを使用したログイン処理は、図６に示すように、ヘルパーがヘルパー端末５１Ａから、又はラウンダーがラウンダー端末５１Ｂから所定のログイン用のＵＲＬにアクセスし、更に自己のＩＤ、パスワード入力すると、図７に示すメニュー画面を表示することができる。
【００２１】
図７に示すメニュー画面において、「報告する」を押すと、ヘルパー又はラウンダーの入力アカウントに応じて、以下に述べる自動でヘルパー用、ラウンダー用のフォームか表示される。
【００２２】
以下にメニュー画面の内容について詳述する。「店舗状況を確認する」を押すと自分で作成した報告書を間覧することができる。「シフトを入力する」を押すと入力可能な日時を設定することが可能となる。「店舗コード一覧」を押すと店舗コードの確認、コピーができる。「メッセージBOX」を押すとお知らせなどの本部からの本部資料が届く。「セールストーク」を押すと運営本部が厳選した本部資料であるおすすめのセールストークを閲覧する。「運営資料」を押すと本部資料である裂品カタログや販促物、技術資料等を閲覧することが可能となる。
【００２３】
（ヘルパー報告又はラウンダー報告）
ヘルパーがメニュー画面の店舗コード一覧を選択すると、図８に示すように、ヘルパー端末５１Ａの表示入力手段５４Ａには店舗コード入力画面が表示され、ここで店舗コードを入力し「OK」を押すと、対応する店舗に関する報告画面が表示され、ここで店舗名、店舗担当者名、日時、休憩時間、その他必要事項等の各項目を全て入力・選択すると、内容確認画面が表示され、内容を確認し問題がなければ「送信」を押す。
【００２４】
ラウンダーが上述した場合と同様、メニュー画面の店舗コード一覧を選択すると、図９に示すように、ラウンダー端末５１Ｂの表示入力手段５４Ｂには店舗コード入力画面が表示され、ここで店舗コートを入力し「OK」を押すと、対応する店舗に関する報告画面が表示され、ここで店舗名、店舗担当者名、日時、休憩時間、その他必要事項等の各項目を全て入力・選択する。すると、内容確認画面が表示され、内容を確認し問題がなければ「送信」を押す。
【００２５】
ヘルパー、又はラウンダーがメニュー画面の店舗状況を確認する選択すると、ヘルパー端末５１Ａの表示入力手段５４Ａ、又はラウンダー端末５１Ｂの表示入力手段５４Ｂには、図１０に示す地区選択画面が表示され、ここで確認したい地域を選択すると当該地域の確認したい店舗一覧画面が表示される。
【００２６】
ここで、所望の店舗を選択するとＷＫ一覧画面が表示され、所望のＷＫを選択すると当該ＷＫに属する年月日一覧画面が表示される。
【００２７】
ヘルパーがヘルパー端末５１ＡにおいてヘルパーＩＤでログインの場合は表示入力手段５４Ａには図１１に示すヘルパー報告画面（左欄）が表示され、ラウンダーがラウンダー端末５１ＢにおいてラウンダーＩＤでログインの場合は表示入力手段５４Ｂには図１１に示すラウンダー報告画面（右欄）に遷移する。これらの画面でヘルパー、又はラウンダーは自己の報告書の詳細内容を確認できる。
【００２８】
ヘルパーがメニュー画面のシフトを入力して、これを選択すると表示入力手段５４Ａには図１２に示すシフト入力画面が表示され、ここでシフト入力する日を選択すると、屋号、店舗、時間の入力画面が表示され、ここで屋号、店舗、時間を入力し送信を押すと、内容確認画面に遷移し、確認して問題がなければ送信を押す。
【００２９】
ラウンダーがメニュー画面のシフトを入力するを選択すると表示入力手段５４Ｂには図１３に示すように、図１２の場合と同様、シフト入力画面が表示され、ここでシフト入力する日を選択すると、屋号、店舗、時間の入力画面が表示され、ここで屋号、店舗、時間を入力し送信を押すと、内容確認画面に遷移し、確認して問題がなければ送信を押す。
【００３０】
ヘルパー、又はラウンダーがメニュー画面の店舗コード一覧を選択すると、ヘルパー端末５１Ａの表示入力手段５４Ａ又はラウンダー端末５１Ｂの表示入力手段５４Ｂには、図１４に示す地域選択画面が表示され、ここで例えば関東を選択すると、関東地域に属する店舗の店舗コード一覧画面が表示され、これによりヘルパー、又はラウンダーは、所望の店舗の店舗コードを確認することができる。また、店舗コードを長押してコピーすることも可能である。
【００３１】
ヘルパー、又はラウンダーがメニュー画面のメッセージＢＯＸを選択すると、ヘルパー端末５１Ａの表示入力手段５４Ａ、又はラウンダー端末５１Ｂの表示入力手段５４Ｂには、図１５に示す管理本部の本部資料であるメッセージ一覧がタイトル別に表示されて、ここで、所望のタイトルを選択すると図１５右欄に示す例えばキャンペーン情報の詳細画面に遷移する。これにより、キャンペーン情報等を確認することができる。
【００３２】
ヘルパー、又はラウンダーがメニュー画面のセールストークを選択すると、ヘルパー端末５１Ａの表示入力手段５４Ａ又はラウンダー端末５１Ｂの表示入力手段５４Ｂには、図１６に示す管理本部の本部資料であるセールストーク一覧がタイトル別に表示され、ここで、所望のタイトルを選択すると図１６右欄に示す管理本部おすすめのセールストーク情報が表示される。これにより、ヘルパー、又はラウンダーは商品販売に有益なセールストークを取得することができる。
【００３３】
ヘルパー、又はラウンダーがメニュー画面の運営資料を選択すると、ヘルパー端末５１Ａの表示入力手段５４Ａ又はラウンダー端末５１Ｂの表示入力手段５４Ｂには、図１７に示す管理本部の本部資料である各種の運営資料がタイトル別に表示される。ここで、所望のタイトルを選択することで、ヘルパー、又はラウンダーは個別の運営資料の詳細を取得することが可能となる。
【００３４】
次に、ヘルパー、又はラウンダーによる店舗の商品販売数及び販売関連情報を含む販売商品情報の報告処理について図１８乃至図２０を参照して詳述する。
【００３５】
既述した場合と同様、ヘルパーのヘルパー端末５１Ａにより、又はラウンダーのラウンダー端末５１Ｂにより所定のログイン用のＵＲＬにアクセスし、更に自己のＩＤ、パスワード入力してログインすると、図１８に示すようなメニュー画面に遷移する。
【００３６】
このメニュー画面で「報告する」を押すと、ヘルパーの場合はヘルパー用の店舗コード入力画面に、ラウンダーの場合はラウンダー用の店舗コード入力画面に遷移する。
【００３７】
なお、メニュー画面で「店舗コード一覧」を押すと、地域選択画面に遷移し、地域選択画面で所望の地域を選択すると、当該地域の店舗一覧画面に遷移することは既述した通りである。
【００３８】
ヘルパーの場合、上述した店舗コード入力画面で自己の店舗コードを入力すると、図１９に示すように、ヘルパー端末５１Ａの表示入力手段５４Ａの画面に該当する店舗に関する報告画面が表示され、ここで、店長の氏名、店舗担当者の氏名、日時等を入力する。また、体験者数、機種別販売数、店舗状況、客層、客からの質問、客への回答、年代、性別等の購入者別情報、要望事項等からなる商品販売数及び販売関連情報を含む販売商品情報を入力し、送信ボタンを押す。この販売商品情報は本部コンピュータ装置１１に無線送信される。
【００３９】
また、ヘルパー端末５１Ａの表示入力手段５４Ａの画面にはセールストーク等の本部資料が表示される。
【００４０】
ラウンダーの場合、上述した店舗コード入力画面で自己の店舗コードを入力すると、図２０に示すように、ラウンダー端末５１Ｂの表示入力手段５４Ｂの画面に該当する店舗に関する報告画面が表示され、ここで、対応者の氏名、店長との関係性、日時等を入力する。
【００４１】
また、ラウンダーは、売場メンテナンス、売場提案、情報収集、商品研修、店舗状況等からなる業務内容、デモ機設置状況、専用什器、カタログ設置状況等の売場状況、コーナー写真を含む売場コーナー状況、競合端末、要望事項、ヘルパーへのコメント等の各項目を入力し、送信ボタンを押す。この販売商品情報は本部コンピュータ装置１１に無線送信される。
【００４２】
次に、ヘルパー端末５１Ａ又はラウンダー端末５１Ｂによる店舗状況確認処理について図２１乃至図２３を参照して説明する。
【００４３】
ヘルパー又はラウンダーがメニュー画面で「店舗状況を確認する」を選択すると、ヘルパー端末５１Ａの表示入力手段５４Ａの画面、又はラウンダー端末５１Ｂの表示入力手段５４Ｂの画面は、図２１に示すように、地域選択画面に遷移し、更に地域選択画面で所望の地域を選択すると、当該地域の店舗一覧画面に遷移する。
【００４４】
店舗一覧画面で自己の担当する店舗を選択すると自己の担当する店舗に関するＷＫ（週間）一覧画面が表示され、ここで所望のＷＫを選択するとそのＷＫに属する日付一覧画面が表示され、ここで所望の日付を選択すると「ヘルパー報告書」又は「ラウンダー報告書」のいずれかを選択する画面に遷移する。
【００４５】
ヘルパーが「ヘルパー報告書」を選択した場合、図２２に示すように、ヘルパー報告書確認画面に遷移し、ここでは当該ヘルパーは、自己が報告した内容である店長の氏名、店舗担当者の氏名、日時等や、体験者数、機種別販売数、所感、展示状況、店舗施策等の店舗状況、客層、客からの質問、客への回答、年代、性別等の購入者別情報、要望事項等からなる販売状況等の販売商品情報を確認することができる。
【００４６】
この他、セールストーク、ラウンダーからのコメント、本部からのコメントも確認できる。
【００４７】
ラウンダーが「ラウンダー報告書」を選択した場合、図２３に示すように、ラウンダー報告書確認画面に遷移し、ここでは当該ラウンダーは、自己が報告した内容である対応者の氏名、店長との関係性、日時等や、売場メンテナンス状況、店舗状況、機種別販売数等の売場状況、売場コーナー写真等の売場コーナー状況、競合端末、要望事項等の販売商品情報を確認することができる。この他、本部からのコメントも確認できる。
【００４８】
（販売商品情報確認用データの編集、表示等）
次に、前記本部コンピュータ装置１１による前記ヘルパー報告書情報、前記ラウンダー報告書情報に基づいた販売商品情報確認用データの編集、表示等の一連の処理について図２５乃至図６８を参照して説明する。
【００４９】
前記本部コンピュータ装置１１のオペレータ（管理者）は、この本部コンピュータ装置１１により所定のログイン用のＵＲＬにアクセスし、更に図２４に示すように、入力手段１８から自己のＩＤ、パスワードを入力する。
【００５０】
上記入力手段１８から自己のＩＤ、パスワードを入力すると、図２５に示す表示手段１９にメニュー（グローバルメニュー）画面を表示することができる。
【００５１】
このメニュー画面では、管理画面ＴＯＰ、ヘルパー報告、ラウンダー報告、管理者ページの選択が可能であり、また、このメニュー画面おいて、所望の該当事項欄にカーソルを重ねるとサブメニューが表示されるように構成している。
【００５２】
管理画面ＴＯＰを選択すると図２６に示す管理画面ＴＯＰに遷移し、ヘルパー報告を選択しカーソルを重ねるとヘルパーのシフト報告、販売数確認、報告書確認の各項目からなるサブメニューが表示される。
【００５３】
そして、サブメニューから販売数確認を選択すると販売数に関するより詳細な各項目を含むサプメニューが表示され、サプメニューから報告書確認を選択するとその報告書のより詳細な各項目を含むサプメニューが表示される。
【００５４】
また、ラウンダー報告を選択しカーソルを重ねるとラウンダー報告の詳細な各項目を含むサプメニューが表示される。
【００５５】
更に、管理者ページを選択しカーソルを重ねるとスタッフメールの項目を含む管理者ページの詳細なサプメニューが表示され、このサブメニューにおいてスタッフメールの項目を選択すると配信、一覧等の項目を含むサブメニューが表示される。
【００５６】
図２６に示す前記表示手段１９に表示される管理画面ＴＯＰでは、複数のヘルパー又はラウンダーからのその日の最新の報告がリスト表示され、ここではＷＫ、日の項目は昇降順で表示変更可能であり、また、ストアー、ストアーコード、スタッフの項目は個別に絞り込み可能となっている。
【００５７】
更に、詳細から個別の報告書の詳細内容が確認可能であり、ＣＳＶ／ＤＬから個別の情報をダウンロード可能となっている。
【００５８】
既述したヘルパー報告のサブメニューでシフト表確認を選択すると、前記表示手段１９には図２７に示すヘルパーのシフト表確認ページが表示され、このシフト表確認ページでは、その日のヘルパー毎のシフト一覧が表示される。
【００５９】
また、左欄のカレンダーの日付クリックで任意の日のシフト確認可能となっている。
【００６０】
また、シフト内容が登録されると、カレンダーの日付が色付き（例えば赤色）で表示される。
【００６１】
既述したヘルパー報告のサブメニューで販売数確認を選択すると、前記表示手段１９には図２８に示すように前記編集手段１４の処理による全機種合計のグラフ表示の画面の指定、指定された機種を対象にしたグラフを表示するための画面が表示され、年月日別、週別、直近四週の日付指定が可能に構成している。
【００６２】
図２８に示す画面でダウンロードを押すと、図２９に示すように、前記編集手段１４の処理の基にヘルパー報告の販売数別検索結果グラフが表示され、全体の販売総数、機種別の販売数をグラフ表示する詳細画面となる。
【００６３】
図２９に示す画面において、キャンペーン期間を押すと表示されている期間中に開催されたキャンペーン情報をグラフ上に表示可能となっている。
【００６４】
また、図２９に示す画面において、各種項目のいずれかをチェックし再表示を押すことでグラフの再生成が可能となっている。
【００６５】
既述したヘルパー報告のサブメニューでＰｌａｃｅ別検索を選択すると、図３０に示すように、前記表示手段１９にＰｌａｃｅ別のグラフを前記編集手段１４の処理の基に表示するための検索画面となり、チェックされた項目毎にグラフを表示可能としている。
【００６６】
また、全機種合計のグラフを表示することも可能としている。
【００６７】
この場合の出力可能なグラフの種類としては、機種別、チェーンストア別、店舗別、スタッフ別、Ｐｌａｃｅ別（地域別）等があり、年月日別、週別、直近四週の日付指定が可能であり、更に屋号を選択して選択した屋号の店舗一覧の表示も可能としている。
【００６８】
図３０に示す画面でＰｌａｃｅ別を押すと、図３１に示すように、前記表示手段１９に前記編集手段１４の処理の基にＰｌａｃｅ別の詳細なグラフが表示される。
【００６９】
ここで、キャンペーン期間を押すと表示されている期間中に開催されたキャンペーン情報をグラフ上に表示可能としている。
【００７０】
また、いずれかの項目をチェックし再表示を押すことでグラフの再生成が可能となっている。
【００７１】
図３０に示す画面でヘルパー報告の「条件を絞り込んで表示する」を押すと、前記表示手段１９の画面は図３２に示すように条件を絞り込んでグラフ表示するための画面となり、検索条件に応じたＰｌａｃｅ別のグラフが表示される。
【００７２】
また、「全機種合計」にチェックを入れると全機種合計のグラフを表示可能としている。
【００７３】
検索条件としては、年月日別、週別、直近四週の日付指定が可能であり、更に屋号を選択すると選択した屋号の店舗一覧が表示可能である。
【００７４】
何も選択されない場合には、全機種合計の全期間のグラフ表示が可能なように構成している。
【００７５】
図３３は、前記表示手段１９における前記編集手段１４の処理による条件絞り込み結果であるグラフ表示画面を示すものである。
このグラフ下部の項目選択部で各機種の各種項目の表示・非表示を変更可能であり、キャンペーン期間を押すと表示されている期間中に開催されたキャンペーン情報をグラフ上に表示可能としている。
【００７６】
また、項目選択部で各機種の各種項目をチェックし、再表示を押すことでグラフの再生成が可能となっている。
【００７７】
既述したサブメニューのヘルパー報告確認を押すと、前記表示手段１９の画面には図３４に示すように、ヘルパーからの報告が一覧表示される。
【００７８】
この一覧画面で、ＷＫ、日は昇降順で表示変更可能であり、ストアー、ストアーコード、スタッフは個別に絞り込み可能であり、詳細から個別の報告書の詳細が確認可能となっている。
【００７９】
また、左サイドメニューで、地域、ＷＫ、チェーンストアの絞り込み表示が可能であり、ソートのリセットを押すと絞り込み解除が可能となっている。
【００８０】
更に、左サイドメニューのＣＳＶ／ＤＬから表示されている情報をダウンロード可能としている。
【００８１】
図３４に示すヘルパーからの報告一覧画面で、詳細ボタンを押すと前記表示手段１９の画面には図３５に示すヘルパー詳細報告内容が表示される。この画面下部のコメント登録からヘルパーへのコメントを登録できるようにしている。
【００８２】
また、画面下部のＥＸＣＥＬ出力を選択すると、表示されている情報をＥＸＣＥＬファイルとして一括ダウンロード可能であり、下部の修正を選択すると報告書の修正が可能となるように構成している
【００８３】
既述したサブメニューのヘルパー販売情報を押すと、前記表示手段１９の画面には図３６に示すヘルパーからのヘルパー販売情報の報告が表示される。
【００８４】
この画面においては、ＷＫ、日は昇降順で表示変更可能であり、ストアー、ストアーコード、スタッフも個別に絞り込み可能である。
【００８５】
左サイドメニューで、地域、ＷＫ、チェーンストアの絞り込みも表示可能であり、ソートのリセットを押すと絞り込み解除が可能となっている。
【００８６】
更に、左サイドメニューのＣＳＶ／ＤＬから表示されている情報を一括ダウンロード可能となっている。
【００８７】
既述したサブメニューのヘルパー店舗情報を押すと、前記表示手段１９の画面には図３７に示すようにヘルパーからの所感、展示状況、キャンペーン情報等のような店舗情報の報告が一覧表示される。
【００８８】
この画面においては、ＷＫ、日は昇降順で表示変更可能であり、ストアー、ストアーコード、スタッフも個別に絞り込み可能である。左サイドメニューで、地域、ＷＫ、チェーンストアの絞り込みも表示可能であり、ソートのリセットを押すと絞り込み解除が可能となっている。
【００８９】
左サイドメニューのＣＳＶ／ＤＬから表示されている情報を一括ダウンロード可能となっている。
【００９０】
既述したメニュー画面のラウンダー報告においてサブメニューのシフト表確認を押すと前記表示手段１９の画面には図３８に示すようにラウンダーからのその日のシフト表確認ページが一覧的に表示される。
【００９１】
このシフト表確認ページでは、左欄のカレンダーの日付クリックで任意の日のシフト確認が可能となっている。
【００９２】
また、シフトが登録されると、カレンダーの日付が色付き（例えば赤色）で表示されるように構成している。
【００９３】
既述したメニュー画面のラウンダー報告においてサブメニューのラウンダー報告確認を押すと、前記表示手段１９の画面には図３９に示すようにラウンダーからの報告が一覧的に表示される。
【００９４】
このラウンダー報告確認画面では、ＷＫ、日は昇降順で表示変更可能で、ストアー、ストアーコード、スタッフは個別に絞り込みが可能である。
【００９５】
また、詳細からラウンダーからの個別の報告書の詳細確認が可能であり、左サイドメニューで、地域、ＷＫ、チェーンストアの絞り込み表示が可能であり、ソートのリセットを押すと絞り込み解除が可能となっている。更に、左サイドメニューのＣＳＶ／ＤＬから表示されている情報を一括ダウンロード可能となっている。
【００９６】
図３９に示すラウンダー報告確認画面で詳細ボタンを押すと図４０に示すように前記編集手段１４の編集による販売コーナーの画像情報のような投稿画像情報を含むラウンダー詳細報告画面が前記表示手段１９の画面に表示される。
【００９７】
このラウンダー詳細報告画面において、投稿画像情報の下の回転ボタンにより画像の向きが変更可能であり、変更した画像の向きは投稿画像情報に反映される。
【００９８】
また、下部のコメント登録からラウンダーへのコメントを登録できるようになっている。
【００９９】
既述したメニュー画面のラウンダー報告においてサブメニューの基本情報を押すと、図４１に示すようにラウンダー報告が前記表示手段１９の画面に一覧的に表示される。
【０１００】
この画面において、ＷＫ、日は昇降順で表示変更可能であり、ストアー、ストアーコード、スタッフ、店長関係性、店舗関係者関係性は個別に絞り込み可能となっている。
【０１０１】
また、左サイドメニューで、地域、ＷＫ、チェーンストアの絞り込み表示可能であり、ソートのリセットを押すと絞り込み解除が可能である。
【０１０２】
更に、左サイドメニューのＣＳＶ／ＤＬから表示されている情報を一括ダウンロード可能としている。
【０１０３】
既述したメニュー画面のラウンダー報告においてサブメニューの店舗情報を押すと、図４２に示すようにラウンダー報告の店舗情報が前記表示手段１９の画面に一覧的に表示される。
【０１０４】
この画面において、ＷＫ、日は昇降順で表示変更可能であり、ストアー、ストアーコード、スタッフ、店長関係性、店舗関係者関係性等は個別に絞り込み可能である。
【０１０５】
また、左サイドメニューで、地域、ＷＫ、チェーンストアの絞り込み表示が可能であり、ソートのリセットを押すと絞り込み解除が可能である。
【０１０６】
更に、左サイドメニューのＣＳＶ／ＤＬから表示されている情報を一括ダウンロード可能としている。
【０１０７】
既述したメニュー画面のラウンダー報告においてサブメニューのコーナー情報を押すと図４３に示すようにラウンダーからのコーナー情報がコーナー画像（コーナー写真）付きで前記表示手段１９の画面に一覧表示される。
【０１０８】
この画面において、ＷＫ、日、コーナー設置個所のランクは昇降順で表示変更可能であり、ストアー、ストアーコード、スタッフは個別に絞り込み可能となっている。
【０１０９】
また、コーナー画像は画像の有無で絞り込み表示が可能であり、画像のサムネールをクリックすると拡大表示される。
【０１１０】
更に、左サイドメニューで、地域、ＷＫ、チェーンストアの絞り込み表示可能であり、ソートのリセットを押すと絞り込み解除が可能であり、左サイドメニューのＣＳＶ／ＤＬから表示されている情報を一括ダウンロード可能としている。
【０１１１】
既述したメニュー画面のラウンダー報告においてサブメニューのラウンダー情報を押すと、図４４に示すように、ラウンダーからの巡回店舗に関する訪問数、滞在時間等のラウンダー情報が前記表示手段１９の画面に一覧的に表示される。
【０１１２】
この画面で、ラウンダーの訪問数、滞在時間、店舗名、売場メンテナンス、更には、売場情報、情報収集、商品研修等は昇降順で表示変更可能であり、スタッフは個別に絞り込み可能である。
【０１１３】
また、左サイドメニューで、地域、ＷＫ、チェーンストアの絞り込み表示が可能で、ソートのリセットを押すと絞り込み解除が可能となっている。
【０１１４】
更に、左サイドメニューのＣＳＶ／ＤＬから表示されている情報を一括ダウンロード可能としている。
【０１１５】
既述したメニュー画面の管理者ページのサブメニューでキャンペーン履歴を押すと、図４５に示すように前記表示手段１９の画面にキャンペーン履歴が一元的に表示される。
【０１１６】
このキャンペーン履歴画面では、開催されたキャンペーン情報が年間を通じて確認可能であり、また、新たなキャンペーンの開催に合わせてキャンペーン情報が追加される構成としている。
【０１１７】
既述したメニュー画面の管理者ページのサブメニューでキャンペーンＰＯＰ設置店舗を押すと、図４６に示すように前記表示手段１９の画面にキャンペーンＰＯＰの設置状況が店舗毎に表示され、管理者が確認できるように構成している。
【０１１８】
既述したメニュー画面の管理者ページのサブメニューでスタッフメールを押すと、前記表示手段１９の画面に図４７に示すように各スタッフに対してメール配信するための画面が表示される。
【０１１９】
この画面において、配信日時はページを表示した日時であり、そのまま配信すれば即時にメールが送信されるようにしている。
【０１２０】
また、配信予約も可能であり、重要表示有に設定すれば、配信時にタイトルのヘッドに［重要］と表示可能としている。
【０１２１】
既述したメニュー画面の管理者ページのサブメニューでスタッフメール一覧を押すと、前記表示手段１９の画面に図４８に示すようにスタッフメール一覧画面が表示される。
【０１２２】
このスタッフメール一覧画面では、送信したスタッフメールを一覧表示するようになっている。
【０１２３】
未読者がある場合には左側の表示が「有」に、全スタッフが確認すると表示が「無」になるように構成している。
【０１２４】
配信日時の左側の表示欄の内容は、以下の通りである。
まず、「予約」配信予約の状態で、所定時間でメールが自動送信され、「配信停止」で配信中断の状態で、「確認」で個別の詳細確認が可能。
【０１２５】
図４８に示すスタッフメール一覧画面で、詳細を選択すると図４９に示すように前記表示手段１９の画面はスタッフメール詳細画面に遷移する。
【０１２６】
このスタッフメール詳細画面では、スタッフメールの詳細が表示され、開封の有無の確認、配信停止の状態、配信予約の状態等が確認可能となっている。
【０１２７】
既述したメニュー画面の管理者ページのサブメニューで有効セールストークを押すと、図５０に示すように前記表示手段１９の画面はスタッフに対して有効なセールストークを配信するための画面となり、
【０１２８】
この画面において、左欄は有効セールストーク一覧を表示する欄、中欄は左欄から選択した個々の有効セールストークを表示する欄、右欄は中欄の有効セールストークを登録する欄となっている。また、個々の有効セールストークの削除する機能も有している。
【０１２９】
既述したメニュー画面の管理者ページのサブメニューでログイン履歴を押すと、図５１に示すように前記表示手段１９の画面はスタッフがログインした履歴を一覧的に表示する画面となる。
【０１３０】
既述したメニュー画面の管理者ページのサブメニューで運営資料を押すと、図５２に示すように前記表示手段１９の画面は本部資料である製品カタログ、販促物、技術資料等を閲覧するための画面となる。
【０１３１】
次に、前記管理者による処理について更に詳述する。
【０１３２】
図２５に示す前記表示手段１９に表示されるメニュー画面では、更に図５３に示すようなより詳細なサブメニューも表示される。
【０１３３】
すなわち、ヘルパー報告のサブメニューの販売数確認では、より詳細な機種別、地域別、屋号別及びスタッフ別の販売数確認サブメニューが表示される。
【０１３４】
また、サブメニューの報告書確認からは地区別報告書確認、屋号別報告書確認のサブメニューが表示されるようになっている。
【０１３５】
更に、ラウンダー報告の報告書確認サブメニューからはＷＫ情報、全情報一覧表示、地区別報告書確認、屋号別報告書確認のサブメニューが表示されるようになっている。
【０１３６】
図５３に示すヘルパー報告のサブメニューで、機種別販売数確認を押すと、前記表示手段１９の画面には図５４に示すような前記編集手段１４の編集による折れ線グラフ形態のＷＫ毎の総販売数、機種別販売数からなる機種別販売数確認画面が表示される。
【０１３７】
図５３に示すヘルパー報告のサブメニューで、地区別販売数確認を押すと、前記表示手段１９の画面には図５５に示すような前記編集手段１４の編集による例えば関東地区等のその地区の総販売数、その地区の機種別販売数からなる折れ線グラフ形態でＷＫ毎の地区別販売数確認画面が表示される。
【０１３８】
図５３に示すヘルパー報告のサブメニューで、販売店別販売数確認を押すと、前記表示手段１９の画面には図５６に示すような前記編集手段１４の編集による例えば関東地区等の特定の店舗の総販売数、機種別販売数からなる折れ線グラフ形態でＷＫ毎の地区別販売数確認画面が表示される。
【０１３９】
図５３に示すヘルパー報告のサブメニューで、スタッフ別販売数確認を押すと、前記表示手段１９の画面には図５７に示すような前記編集手段１４の編集による例えば関東地区等の特定の店舗の総販売数、機種別販売数からなる折れ線グラフ形態でＷＫ毎の地区別販売数確認画面が表示される。
【０１４０】
図５３に示すヘルパー報告のサブメニューで、又はラウンダー報告のサブメニューで、地区別報告確認を押すと、前記表示手段１９の画面には図５８に示すような前記編集手段１４の編集による関東、東海、関西のような地区別の販売数を一覧的に表示した地区別報告確認画面が表示される。
【０１４１】
図５８に示す地区別報告確認画面で、所望の地区の確認ボタンを押すと、前記表示手段１９の画面には前記編集手段１４の編集による図５９に示すような当該地区の店舗の店名、スタッフの派遣会社、スタッフ名が一覧的に表示される。
【０１４２】
更に、図５９に示す画面で所望の店舗欄の確認ボタンを押すと、前記表示手段１９の画面には前記編集手段１４の編集による図６０に示すような当該店舗におけるＷＫ別の報告日付画面が一覧的に表示される。
【０１４３】
また、図５９に示す画面で所望の店舗欄の確認ボタンを押すと、前記表示手段１９の画面には前記編集手段１４の編集による図６１に示すような当該店舗に関する詳細な報告内容が表示される。
【０１４４】
この画面では、当該店舗の店名、スタッフの派遣会社名、スタッフ名、ある週の機種別販売数等を確認することができる。
【０１４５】
更に、図６２に示すような当該店舗に関する詳細な報告内容画面では、図６２に示すようなある日の販売コーナーの画像、その他各種情を確認することができるように構成している。
【０１４６】
図５３に示すヘルパー報告のサブメニューで、屋号別報告確認を押すと、前記表示手段１９の画面には図６３に示すような前記編集手段１４の編集による屋号別販売数報告確認画面が表示される。
【０１４７】
図６３に示す地区別報告確認画面で、所望の地区の確認ボタンを押すと、前記表示手段１９の画面には図６４に示すような前記編集手段１４の編集による報告日時、当該地区の店舗の店名、スタッフの派遣会社、スタッフ名が一覧的に表示される。
【０１４８】
図６５は、前記表示手段１９の画面に本実施例におけるインセンティブプログラムを表示した例を示すものである。
【０１４９】
図５３に示すラウンダー報告のサブメニューで、全情報表示を押すと、前記表示手段１９の画面には図６６に示すような前記編集手段１４の編集による情報一覧画面が表示される。
【０１５０】
この画面では、スタッフ名、ラウンド対応店舗数、店舗訪問回数、その他各種のラウンダー関連情報を確認することができる。
【０１５１】
図５３に示すラウンダー報告のサブメニューで、ＷＫ情報を押すと、前記表示手段１９の画面には図６７に示すような前記編集手段１４の編集による多数のラウンダー別、かつ、ＷＫ別のラウンド対応店舗数、店舗訪問回数、その他各種のラウンダー関連情報からなるＷＫ情報が表示され確認することができる。
【０１５２】
また、前記表示手段１９の画面には図６８に示すような屋号別、かつ、販売店別販売数確認画面を表示し、総販売数、機種別販売数等を確認することができる。
【０１５３】
以上説明した本実施例の店舗販売商品情報の報告システム１によれば、ヘルパー又はラウンダーがスマートフォン等のヘルパー端末５１Ａ、ラウンダー端末５１Ｂを使用して店舗における販売商品に関するヘルパー情報、ラウンダー情報を画面入力することで生成されるヘルパー報告書情報、ラウンダー報告書情報を前記ヘルパー端末５１Ａ、ラウンダー端末５１Ｂにより無線送信にて本部の本部コンピュータ装置１１に容易に報告することができる。
【０１５４】
この場合の報告項目及びその内容としては、既述したように、商品販売数や在庫数等の販売商品情報、ヘルパーやラウンダーのスタッフ名、競合商品の位置関係や影響等の競合状況、巡回する店舗スタッフとの関係性、ラウンダーが巡回する店舗と巡回予定、入店時間・退店時間・販売応援時間、店舗のデモンストレーション状況、商品説明のレベル、売場のメンテナンス状況、売場コーナーの画像、店舗や競合製品のキャンペーン状況。店舗スタッフの状況、来客状況、施策浸透状況、客へのインタビュー内容、客様の反応が良かったセールストーク等の店舗状況、店舗からの要望等の要望事項、等極めて多岐にわたるものである。
【０１５５】
この他、ヘルパー報告書情報、ラウンダー報告書情報の確認、分析、ヘルパー報告書情報、ラウンダー報告書情報をダウンロード（文章・投稿写真を含む）してのメーカー等への週報作成、本部からのセールストーク、運営資料等の本部資料の閲覧、連絡メール、他のラウンダーからの有益情報の共有機能等も有している。
【０１５６】
更には、ヘルパー又はラウンダーヘの連絡事項の登録機能や、参考資料の登録機能をも有している。
【０１５７】
一方、管理本部側においては、本部コンピュータ装置１１によって、販売商品情報確認用データであるヘルパー又はラウンダーからなるスタッフのシフトカレンダーの確認、販売商品毎の販売グラフ表示の確認、販売数変動時の外部要因のグラフ表示の確認、様々な絞込みによるグラフ表示の確認、ヘルパー又はラウンダーからなるスタッフ一覧の確認、ヘルパー又はラウンダーのスタッフ報告書閲覧、店舗におけるキャンペーンＰＯＰの設置状況の確認、ヘルパー又はラウンダーのスタッフのログイン履歴の確認、上記各事項のＣＳＶ形式でのダウンロードでの報告書（例えば多国籍企業である場合には外国の本部に対する報告書）の作成等を容易に実行することができる。
【０１５８】
この他、本部コンピュータ装置１１においては、各スタッフヘのコメント発信、キャンペーン情報の登録、各スタッフヘのメール送信、おすすめセールストーク等の本部資料の登録等の機能も有している。
【０１５９】
本実施例における店舗販売商品情報の報告システム１用のプログラムは、前記ヘルパー端末５１Ａに搭載され、ヘルパー用の報告書作成パターン情報を表示入力手段５４Ａに表示する処理と、店舗における販売商品に関するヘルパーによるヘルパー情報の前記報告書作成パターン情報に対する入力に応じて当該ヘルパーのヘルパー報告書情報である販売商品情報を作成する処理と、を実行するヘルパー端末プログラムと、前記ラウンダー端末５１Ｂに搭載され、ラウンダー用の報告書作成パターン情報を表示入力手段５４Ｂに表示する処理と、店舗における販売商品に関するラウンダーによるラウンダー情報の前記報告書作成パターン情報に対する入力に応じて当該ラウンダーのラウンダー報告書情報である販売商品情報を作成する処理と、を実行するラウンダー端末プログラムと、前記本部コンピュータ装置１１に搭載され、前記ヘルパー端末５１Ａ、ラウンダー端末５１Ｂから送信される前記ヘルパー報告書情報、前記ラウンダー報告書情報を編集して販売商品情報確認用データを生成する処理と、商品販売に関するセールストーク、運営資料、メール情報のような本部資料を編集する処理と、を実行する報告システムプログラムと、からなるものである。
【０１６０】
このような各プログラムにより、上述したヘルパー端末５１Ａ、ラウンダー端末５１Ｂ及び本部コンピュータ装置１１における各々の処理を的確に実行することができる。
【産業上の利用可能性】
【０１６１】
本発明は、例えば、多岐にわたる電気機器や電子機器の製品やその関連部品の販売を多数、かつ、広範囲の店舗において販売する販売店舗等における店舗販売商品情報の報告システムとして好適に活用可能である。
【符号の説明】
【０１６２】
１    店舗販売商品情報の報告システム
１１    本部コンピュータ装置
１２    制御手段
１３    プログラムメモリ
１４    編集手段
１５    本部記憶手段
１６    本部資料記憶手段
１７    送受信手段
１８    入力手段
１９    表示手段
５１Ａ  ヘルパー端末
５２Ａ  ヘルパー端末制御手段
５３Ａ  ヘルパー端末プログラムメモリ
５４Ａ  表示入力手段
５５Ａ  報告書作成パターン情報記憶手段
５６Ａ  記憶手段
５７Ａ  送受信手段
５８Ａ  撮像手段
５１Ｂ  ラウンダー端末
５２Ｂ  ヘルパー端末制御手段
５３Ｂ  ヘルパー端末プログラムメモリ
５４Ｂ  表示入力手段
５５Ｂ  報告書作成パターン情報記憶手段
５６Ｂ  記憶手段
５７Ｂ  送受信手段
５８Ｂ  撮像手段
【図１】
2019028872.tif 000003
【図２】
2019028872.tif 000004
【図３】
2019028872.tif 000005
【図４】
2019028872.tif 000006
【図５】
2019028872.tif 000007
【図６】
2019028872.tif 000008
【図７】
2019028872.tif 000009
【図８】
2019028872.tif 000010
【図９】
2019028872.tif 000011
【図１０】
2019028872.tif 000012
【図１１】
2019028872.tif 000013
【図１２】
2019028872.tif 000014
【図１３】
2019028872.tif 000015
【図１４】
2019028872.tif 000016
【図１５】
2019028872.tif 000017
【図１６】
2019028872.tif 000018
【図１７】
2019028872.tif 000019
【図１８】
2019028872.tif 000020
【図１９】
2019028872.tif 000021
【図２０】
2019028872.tif 000022
【図２１】
2019028872.tif 000023
【図２２】
2019028872.tif 000024
【図２３】
2019028872.tif 000025
【図２４】
2019028872.tif 000026
【図２５】
2019028872.tif 000027
【図２６】
2019028872.tif 000028
【図２７】
2019028872.tif 000029
【図２８】
2019028872.tif 000030
【図２９】
2019028872.tif 000031
【図３０】
2019028872.tif 000032
【図３１】
2019028872.tif 000033
【図３２】
2019028872.tif 000034
【図３３】
2019028872.tif 000035
【図３４】
2019028872.tif 000036
【図３５】
2019028872.tif 000037
【図３６】
2019028872.tif 000038
【図３７】
2019028872.tif 000039
【図３８】
2019028872.tif 000040
【図３９】
2019028872.tif 000041
【図４０】
2019028872.tif 000042
【図４１】
2019028872.tif 000043
【図４２】
2019028872.tif 000044
【図４３】
2019028872.tif 000045
【図４４】
2019028872.tif 000046
【図４５】
2019028872.tif 000047
【図４６】
2019028872.tif 000048
【図４７】
2019028872.tif 000049
【図４８】
2019028872.tif 000050
【図４９】
2019028872.tif 000051
【図５０】
2019028872.tif 000052
【図５１】
2019028872.tif 000053
【図５２】
2019028872.tif 000054
【図５３】
2019028872.tif 000055
【図５４】
2019028872.tif 000056
【図５５】
2019028872.tif 000057
【図５６】
2019028872.tif 000058
【図５７】
2019028872.tif 000059
【図５８】
2019028872.tif 000060
【図５９】
2019028872.tif 000061
【図６０】
2019028872.tif 000062
【図６１】
2019028872.tif 000063
【図６２】
2019028872.tif 000064
【図６３】
2019028872.tif 000065
【図６４】
2019028872.tif 000066
【図６５】
2019028872.tif 000067
【図６６】
2019028872.tif 000068
【図６７】
2019028872.tif 000069
【図６８】
2019028872.tif 000070